(57)【特許請求の範囲】
【請求項１】
流体ディスペンサ（２００）を梱包するパッケージ装置と前記ディスペンサを含む組立体であって、
前記ディスペンサは、
流体を収容する少なくとも１つの貯蔵器（２１０）と、
手動により作動して前記流体を投与するディスペンサユニット（２２０）、を含み、
前記パッケージ装置は、
基体（１１０）、及びカバー（１２０）を有するケーシング（１００）を含み、
前記カバー（１２０）は、前記基体（１１０）に対し、前記ディスペンサ（２００）が前記ケーシング（１００）に梱包された閉位置から前記ディスペンサ（２００）を前記基体（１１０）から取り外し可能な開位置まで、分離可能であり、
前記ケーシング（１００）は、
少なくとも前記カバー（１２０）が前記閉位置にあるときに前記ディスペンサ（２００）と協働し、前記ディスペンサユニット（２２０）を係止して前記ディスペンサユニット（２２０）が作動するのを防ぐ、少なくとも１つの突起（１３０）を含み、
前記ディスペンサ（２００）は、
前記突起（１３０）を受け入れる少なくとも１つの係止用開口部（２３５）を備えた本体部（２３０）を含み、前記突起（１３０）が前記係止用開口部（２３５）内に配されているとき、当該突起（１３０）によって前記ディスペンサユニット（２２０）が作動するのが防止され、
前記カバー（１２０）の内面に、前記少なくとも１つの突起（１３０）のうち少なくとも１つが配置されている
ことを特徴とする組立体。
【請求項２】
前記ディスペンサ（２００）は、前記流体を投与するための吐出口（２３１）を有するディスペンサヘッド（２３０）を含み、
前記ディスペンサユニット（２２０）は、前記貯蔵器（２１０）に対して前記ディスペンサヘッド（２３０）を移動させることによって作動するポンプ又は計量用バルブであり、
前記少なくとも１つの突起（１３０）は、前記カバー（１２０）が前記閉位置にある場合において、前記ディスペンサヘッド（２３０）の前記移動を妨げる
請求項１に記載の組立体。
【請求項３】
前記ディスペンサヘッド（２３０）が、前記係止用開口部（２３５）を有する  請求項１または２に記載の組立体。
【請求項４】
前記ディスペンサユニット（２２０）は、
前記流体を前記貯蔵器から排出させるため、貯蔵器（２１０）内を移動可能なピストン（２２１）、及び
作動中に前記ピストン（２２１）に接続されるピストンロッド（２２２）、を含み、
前記ピストン（２２１）は、前記ピストンロッド（２２２）を前記貯蔵器（２１０）に対して移動させることによって作動し、
前記少なくとも１つの突起（１３０）は、前記カバー（１２０）が前記閉位置にある場合において、前記ピストンロッド（２２２）の前記貯蔵器（２１０）に対する前記移動を妨げる
請求項１に記載の組立体。
【請求項５】
前記ディスペンサは自己注射器である
請求項４に記載の組立体。
【請求項６】
前記ケーシング（１００）は、さらに前記ディスペンサ（２００）を位置決めするための位置決め手段（１５０）を含む
請求項１から５までのいずれかに記載の組立体。
【請求項７】
前記少なくとも１つの突起（１３０）を、前記位置決め手段（１５０）が有する
請求項６に記載の組立体。
【請求項８】
前記カバー（１２０）は、当該カバー（１２０）が前記開位置にある場合において、前記ディスペンサ（２００）が前記ケーシング（１００）に取り付け可能及び前記ケーシング（１００）から取り外し可能となるように、前記基体（１１０）に対し移動可能、特に旋回可能である
請求項１から７までのいずれかに記載の組立体。
【請求項９】
前記カバー（１２０）は、引き剥がし可能な形で前記基体（１１０）に固着されている
請求項１から８までのいずれかに記載の組立体。
【発明の詳細な説明】
【技術分野】
【０００１】
本発明は流体ディスペンサを梱包するパッケージ装置に関する。
【背景技術】
【０００２】
流体ディスペンサ、特に薬剤流体や化粧品の流体、又は香水製造分野における流体を投与する流体ディスペンサがよく知られている。そうした装置は一般的に、流体を収容する少なくとも１つの貯蔵器、及び手動で作動して流体を投与するディスペンサユニットを含む。
こうした装置では、装置が使用されないとき、つまり装置の保存期間中の安全性に関する問題が起こる。例えば、装置が落下した場合、ディスペンサユニットが意図せず完全に又は部分的に作動してしまうことがありうる。装置の組み立てや充填の直後にも、こうした不慮の作動は起こりうる。
【０００３】
こうした完全な又は部分的な不慮の作動によって、例えば投与すべき流体が流失したり、気密性が失われたり、又はそれ以降装置が動作不良を起こしたりなどの重要な問題が引き起こされうる。
こうした問題は１回分又は２回分の流体のみを投与する１回投与型又は２回投与型のディスペンサ装置、及び自己注射器型のディスペンサ装置にとって特に悪影響を及ぼす。
【０００４】
特許文献１〜４には、従来のパッケージ装置が記載されている。
【先行技術文献】
【特許文献】
【０００５】
【特許文献１】米国特許第３，３７６，８６６号
【特許文献２】特開２００４−２０８９７３号公報
【特許文献３】特開２０１１−０９３５８４号公報
【特許文献４】米国特許第２，０８４，５４０号
【発明の概要】
【発明が解決しようとする課題】
【０００６】
本発明の目的は、上述の欠点を抑制・回避する流体ディスペンサのパッケージ装置を提供することである。
特に、本発明の目的はディスペンサを収容するパッケージ装置が落下した時にディスペンサが意図せず作動する危険性を回避するような装置を提供することである。
【課題を解決するための手段】
【０００７】
従って、本発明は流体ディスペンサを梱包するパッケージ装置と前記ディスペンサを含む組立体であって、前記ディスペンサは、流体を収容する少なくとも１つの貯蔵器と、手動により作動して前記流体を投与するディスペンサユニット、を含み、前記パッケージ装置は、基体、及びカバーを有するケーシングを含み、前記カバーは、前記基体に対し、前記ディスペンサが前記ケーシングに梱包された閉位置から前記ディスペンサを前記基体から取り外し可能な開位置まで、分離可能であり、前記ケーシングは、少なくとも前記カバーが前記閉位置にあるときに前記ディスペンサと協働し、前記ディスペンサユニットを係止して前記ディスペンサユニットが作動するのを防ぐ、少なくとも１つの突起を含み、前記ディスペンサは、前記突起を受け入れる少なくとも１つの係止用開口部を備えた本体部を含み、前記突起が前記係止用開口部内に配されているとき、当該突起によって前記ディスペンサユニットが作動するのが防止されることを特徴とする組立体を提供する。
【０００８】
好ましい構成としては、前記ディスペンサは、前記流体を投与するための吐出口を有するディスペンサヘッドを含み、前記ディスペンサユニットは、前記貯蔵器に対して前記ディスペンサヘッドを移動させることによって作動するポンプ又は計量用バルブであり、前記少なくとも１つの突起は、前記カバーが前記閉位置にある場合において、前記ディスペンサヘッドの前記移動を妨げる。
【０００９】
好ましい構成としては、前記ディスペンサヘッドが、前記係止用開口部を有する。
好ましい構成としては、前記ディスペンサユニットは、前記流体を前記貯蔵器から排出させるため、貯蔵器内を移動可能なピストン、及び作動中に前記ピストンに接続されるピストンロッド、を含み、前記ピストンは、前記ピストンロッドを前記貯蔵器に対して移動させることによって作動し、前記少なくとも１つの突起は、前記カバーが前記閉位置にある場合において、前記ピストンロッドの前記貯蔵器に対する前記移動を妨げる。
【００１０】
好ましい構成としては、前記ディスペンサは自己注射器である。
好ましい構成としては、前記ケーシングは、さらに前記ディスペンサを位置決めするための位置決め手段を含む。
好ましい構成としては、前記少なくとも１つの突起を、前記位置決め手段が有する。
好ましい構成としては、前記カバーは、当該カバーが前記開位置にある場合において、前記ディスペンサが前記ケーシングに取り付け可能及び前記ケーシングから取り外し可能となるように、前記基体に対し移動可能、特に旋回可能である。
【００１１】
変形例において、前記カバーは、引き剥がし可能な形で前記基体に固着されている。
【図面の簡単な説明】
【００１２】
本発明の特徴および利点ならびにその他の事項は、非限定的な例として以下に示す詳細な説明および添付図面を参照することにより、より明確となる。
【図１】パッケージ装置の効果的な実施の形態の概略斜視図である。この図ではパッケージ装置は開状態にあって、ディスペンサがパッケージ装置内に装着される様子を示す。
【図２】閉状態にある図１の装置の垂直面における概略断面斜視図である。
【図３】垂直断面の細部を示す図である。
【図４】本発明の、ブリスター形状のケーシングが含まれる別の効果的な実施の形態の第１の変形例の概略側面図である。
【図５】本発明の、ブリスター形状のケーシングが含まれる別の効果的な実施の形態の第２の変形例の概略側面図である。
【図６】本発明の、ブリスター形状のケーシングが含まれる別の効果的な実施の形態の第３の変形例の概略側面図である。
【図７】図４のブリスターの概略断面図である。この図では図４のブリスターは閉状態にあって、２回投与型のディスペンサを収容している。
【図８】図７同様、図６のブリスターが閉状態で２回投与型のディスペンサを収容している様を示した図である。
【発明を実施するための形態】
【００１３】
本明細書において、「流体」という用語は液体、ペースト、又は粉体を示し、また「上」、「下」、「垂直」、及び「水平」という用語の指す方向は、図１及び４に示されるような装置が直立している状態に対するものである。
図１〜３は、本発明の第１の効果的な実施の形態を示す。第１の効果的な実施の形態は、パッケージ装置の一部をなすケーシング１００を含む。図１において、ケーシング１００は開状態にあり、ディスペンサ２００が装着される様子を示す。
【００１４】
ケーシング１００は基体１１０及びカバー１２０を含む。カバー１２０は、ディスペンサ２００がケーシング１００に取り付け可能及びケーシング１００から取り外し可能な開位置と、ケーシング１００にディスペンサ２００が梱包される閉位置との間を基体１１０に対して移動可能、特に旋回可能である。
図１に示されるように、カバー１２０は基体１１０の側縁部１１５回りに旋回可能であり、側縁部１１５には蝶番が形成される。ケーシング１００は単体で構成され、フィルム状の蝶番が前記旋回用の側縁部に形成するようにしてもよいし、又は２つの部分から構成され、基体１１０及びカバー１２０の間に機械的な蝶番を有するようにしてもよい。
【００１５】
ディスペンサ２００はどのような種類のものでもよいが、例えば複数回分投与装置である。複数回分投与装置とは、ディスペンサユニットとしてポンプ又はバルブを備える装置で、ディスペンサユニットは複数回の投与分を収容する貯蔵器に実装される。
また、ディスペンサ２００は、自己注射器などの注射装置であってもよい。
図面に示された実施の形態において、ディスペンサ２００は１回投与（又は２回投与）ディスペンサである。即ち、ディスペンサ２００は１回投与分のみ（又は２回投与分のみ）の流体を収容する。当然のことながら、実施の形態はこれに限定されない。
【００１６】
図面に示された実施の形態において、ディスペンサ２００は１回又は２回投与分の流体を収容する貯蔵器２１０を含む。ディスペンサ２００はさらに、少なくとも１つの係止用開口部２３５を有する本体部２３０を含む。
図１及び２から分かるように、本体部２３０を、流体を投与するための吐出口２３１を有するディスペンサヘッドとする構成が好ましい。
【００１７】
ディスペンサユニット２２０は、ディスペンサヘッド２３０を貯蔵器２１０に対して移動させることによって作動するポンプ又は計量用バルブであってもよい。図２から分かるように、変形例においては、ディスペンサユニット２２０はピストン２２１、及びピストンロッド２２２を含んでもよい。
ピストン２２１は、流体を貯蔵器２１０から押し出すために貯蔵器２１０内を移動することができ、ピストンロッド２２２は、ディスペンサユニット２２０の作動時にピストン２２１に連結される。この場合、ピストン２２１は、ピストンロッド２２２を貯蔵器２１０に対して移動させることによって作動する。
【００１８】
本発明において、ケーシング１００は、ディスペンサユニット２２０を係止し、ディスペンサユニット２２０が作動するのを妨げるために、少なくともカバー１２０の閉位置においてディスペンサ２００と協働する少なくとも１つの突起１３０を含む。
図１から分かるように、少なくとも１つの突起１３０が基体１１０の内面に配置される構成とすることが好ましい。変形例においては、少なくとも１つの突起１３０がカバー１２０の内面にも配置されていてもよい。望ましくは、基体１１０に１つ、カバー１２０に１つの全部で２つの突起１３０を設けてもよい。この場合には、ディスペンサ２００も同様に係止用開口部２３５を２つ含む。
【００１９】
図１の実施の形態において、ディスペンサ２００はケーシング１００内で、ディスペンサ２００の係止用開口部２３５に、基体１１０に設けられた突起１３０が、図１に示す軸Ａの方向に係合することで位置決めされる。
図４〜８は、別の実施の形態を示す。この別の実施の形態においては、ケーシング１００は、ディスペンサ２００用のブリスター形状で、カバー１２０は引き剥がし可能な形で基体１１０に固着されている。
【００２０】
基体１１０は、熱成形された外殻として形成されてもよい。突起１３０は、図４及び７から分かるように、基体１１０内に一体化して形成されてもよいし、又は図６及び８から分かるように、カバー１２０上に形成されてもよい。どちらの変形例においても、基体１１０またはカバー１２０の製造工程中に、突起１３０を基体１１０内又はカバー１２０上に直接形成してもよい。
【００２１】
又は、突起１３０を別に形成しておいて、図５に示すように基体１１０内に、又は図６に示すようにカバー１２０上に、接着し又はクリップ留めしてもよい。
図２、３、７、及び８から分かるように、突起１３０は係止位置では、ディスペンサヘッド２３０内の貯蔵器２１０の上端の上に延び、それによって貯蔵器２１０とディスペンサヘッド２３０の間の相対的な移動が妨げられる。
【００２２】
従って、突起１３０が係止位置にある間は、パッケージ装置が落下した場合にも、部分的にでも作動することはない。
好ましくは、ケーシング１００はさらに、ディスペンサ２００を位置決めするための位置決め手段１５０を含んでもよい。位置決め手段１５０は特に、ケーシング１００を開くときにディスペンサ２００が落下するのを妨ぐ。特に、位置決め手段１５０が少なくとも１つの突起１３０を含んでもよい。
【００２３】
図１〜３の実施の形態において、位置決め手段[１５０]は、また、基体１１０内に形成された位置決め用のフランジ１５１、及びカバー１２０内に形成された対応するフランジ１５３を含んでもよい。フランジ１５１、１５３はそれぞれ中央切欠部１５２、１５４を有する。中央切欠部１５２、１５４によって、ディスペンサヘッド２３０を位置決めすることが可能となる。
【００２４】
図４〜８の例において、位置決め手段１５０がディスペンサ２００の形状に対応する形状の基体１１０であってもよい。そうすることによって、ディスペンサ２００はカバー１２０が基体１１０から引き剥がされた後でも、基体１１０に押し込められた状態のままとなる。
本発明はいくつかの特定の実施の形態を参照しながら説明されたが、当然のことながら本発明はこれらの実施の形態に限られない。それどころか、添付の請求項によって規定された本発明の範囲を超えない限り、当業者によってあらゆる有用な変形を適用することが可能である。
【図１】
0006462678.tif 000002
【図２】
0006462678.tif 000003
【図３】
0006462678.tif 000004
【図４】
0006462678.tif 000005
【図５】
0006462678.tif 000006
【図６】
0006462678.tif 000007
【図７】
0006462678.tif 000008
【図８】
0006462678.tif 000009